(57)【要約】【課題】飾る場合に、安定性に欠けるという難点があった。【解決手段】本件出願の植物栽培具用連結具は、栽培容器本体からパイプが突出された植物栽培具を二以上連結する連結具であり、その連結具は二以上の支持片が基材から異なる方向に突出され、夫々の支持片に前記パイプを差し込み可能な通孔を備えたものである。また、基材又はいずれかの支持片に補助パイプを差込み可能な補助孔を開口したり、二以上の支持片の高さを異ならせたりすることもできる。本件出願の連結栽培具は、前記植物栽培具用連結具の通孔に、二以上の植物栽培具のパイプを差し込んで、当該パイプの縦方向一又は二箇所以上を連結したものである。【選択図】      図１
2004159545.tif 000002
【特許請求の範囲】
【請求項１】
栽培容器本体からパイプが突出された植物栽培具を二以上連結する連結具であり、その連結具は二以上の支持片が基材から異なる方向に突出され、夫々の支持片に前記パイプを差し込み可能な通孔があることを特徴とする植物栽培具用連結具。
【請求項２】
栽培容器本体からパイプが突出された植物栽培具を二以上連結する連結具であり、その連結具は二以上の支持片が基材から異なる方向に突出され、夫々の支持片に前記パイプを差し込み可能な通孔が開口され、基材又はいずれかの支持片に補助パイプを差込み可能な補助孔が開口されたことを特徴とする植物栽培具用連結具。
【請求項３】
請求項１又は請求項２記載の植物栽培具用連結具において、二以上の支持片の高さが異なることを特徴とする植物栽培具用連結具。
【請求項４】
請求項１乃至請求項３記載の植物栽培具用連結具の通孔に、二以上の植物栽培具のパイプが差し込まれて、当該パイプの縦方向一又は二箇所以上が植物栽培具用連結具に連結されたことを特徴とする連結栽培具。
【発明の詳細な説明】
【０００１】
【発明の属する技術分野】
本発明は植木鉢、ポット等の植物栽培具を連結するための連結具と、その連結具により二以上の植物栽培具が連結された連結栽培具に関するものである。
【０００２】
【従来の技術】
植物栽培用具には様々な形状、構造のものがある。従来の植物栽培具の主なものは植木鉢、ポット、プランター等である。
【０００３】
【発明が解決しようとする課題】
従来の植木鉢やポット等は植物を栽培する上での課題はない。
【０００４】
【課題を解決するための手段】
本件出願人は、先に、従来の植木鉢やポットとは異なる形状、構造の植物栽培具を開発し、特許出願した（特願２００２−１３４２８号）。この植物栽培具は図３に示すように、栽培容器本体２の底１０に所望本数のパイプ３を連結できるようにしたものであり、容器本体２の開口部４の直径５ｃｍ、高さ６ｃｍ、パイプ直径２ｃｍ、長さ６ｃｍ程度であり、樹脂製である。この植物栽培具１で植物を栽培するには、容器本体２にロックウール、ウレタン等の培土を入れ、それに植物を植え、植物に栽培液を供給する。
【０００５】
この植物栽培具１は小型軽量で、取り扱いに便利である。また、容器本体２は小型であるが、パイプ３があるため、容器本体２で栽培される植物はパイプ３内に根を張って大きく成長することができる。更には、切花にしなくとも植物栽培具１で栽培したまま花屋で販売することもでき、しかも、買った人はパイプ３を持つことができるため持ち易く、強く持っても植物が傷まず、持ち運びに便利である。また、購入後にそのまま飾ることが出来、根があるため長持ちし、路地植えすることもできるといった各種特徴がある。しかし、この植物栽培具１にはパイプ３があるため、飾る場合に、安定性に欠けるという難点があった。
【０００６】
本発明の目的は図３の植物栽培具を二以上連結して安定性を高めることができる植物栽培具用連結具と、その連結具により二以上の植物栽培具を連結して、植物の栽培だけでなく展示にも利用できるようにした連結栽培具を提供することにある。
【０００７】
本件出願の植物栽培具用連結具は、栽培容器本体からパイプが突出された植物栽培具を二以上連結する連結具であり、その連結具は二以上の支持片が基材から異なる方向に突出され、夫々の支持片に前記パイプを差し込み可能な通孔を備えたものである。また、基材又はいずれかの支持片に補助パイプを差込み可能な補助孔を開口したり、二以上の支持片の高さを異ならせたりすることもできる。
【０００８】
本件出願の連結栽培具は、前記植物栽培具用連結具の通孔に、二以上の植物栽培具のパイプを差し込んで、当該パイプの縦方向一又は二箇所以上を連結したものである。
【０００９】
【発明の実施の形態】
（実施形態１）
本発明の植物栽培具用連結具の一実施形態を図１〜図３に基づいて説明する。図２の植物栽培具用連結具２０は、図１のように栽培容器本体２からパイプ３が突出された植物栽培具１を二以上連結する連結具であり、その連結具２０は図２のように二以上の支持片５が板状の基材６から異なる三方向に突出され、夫々の支持片５の先端側に前記パイプ３を差し込み可能な通孔７が形成されている。また、基材６の中央部に、図１のように補助パイプ８を差込み可能な補助孔９が開口されている。基材６は硬質樹脂、金属といった任意の材質で成形することができる。
【００１０】
図２に示すように、前記通孔７はパイプ３の直径よりも多少大きくして、パイプ３と栽培容器本体２の底１０から下方に突出している嵌合筒１１は貫通可能であるが、栽培容器本体２の底１０の直径よりは小さくして、その底１０が支持片５の上に乗るようにしてある。補助孔９も補助パイプ８の直径よりも多少大きくして、補助パイプ８を貫通可能としてあるが、補助パイプ８の上端及び下端に被せる、上キャップ１２及び下キャップ１５の鍔１３及び１５の外径よりは小さくして、その鍔１３及び１５が補助孔９の周縁に係止して抜けないようにしてある。
【００１１】
本発明の連結栽培具の実施形態を図１〜図３に基づいて説明する。図１の連結栽培具は図２の植物栽培具用連結具２０により三つの植物栽培具１が連結されたものである。図１では植物栽培具用連結具２０を二枚使用し、その二枚を上下に離して配置して、上方の植物栽培具用連結具２０により栽培容器本体２の底１０を支持し、下方の植物栽培具用連結具２０によりパイプ３の下端部が支持され、その下端部に下方の植物栽培具用連結具２０の下から外キャップ２４を被せて、パイプ３が下方の植物栽培具用連結具２０から抜けないようにしてある。
【００１２】
また、図４に示すように、上方の植物栽培具用連結具２０の補助孔９に補助パイプ８の上端部を差込み、その上端部に上キャップ１２を上方の植物栽培具用連結具２０の上から嵌めこんで、支持片５を上キャップ１２の鍔１３と補助パイプ８の上面１４との間に挟んで補助パイプ８の上部の抜けを防止し、下方の植物栽培具用連結具２０の補助孔９に補助パイプ８の下端部を差込み、その下端部に下キャップ１５を下方の植物栽培具用連結具２０の下から嵌めこんで、支持片５を下キャップ１５の鍔１６と補助パイプ８の下面１７との間に挟んで補助パイプ８の下部の抜けを防止してある。補助パイプ８を差し込むことにより、上下の植物栽培具用連結具２０が連結されて安定すると共に補強される。また、三本の植物栽培具１を床やテーブル等の上に立てて置くことができる。
【００１３】
本発明の植物栽培具用連結具により連結される植物栽培具の一例を図３（ａ）〜（ｃ）に基づいて説明する。図３（ａ）の植物栽培具１は栽培容器本体２の底１０に嵌合筒１１が突設され、その下方にパイプ３を連結できるようにしてある。パイプ３は軸方向一端に径の細い差込部２１が形成され、それが他のパイプ３の他端の開口部２２に差込まれるようにしてある。パイプ３の連結本数は用途に合わせて任意本数とすることができる。下端のパイプ３の下端には内キャップ２３を被せることができ、その外側に更に外キャップ２４を被せることができる。
【００１４】
前記内キャップ２３はパイプ３の径の細い差込部２１の外周に被せることができる大きさの内径であり、上端に径の大きな鍔２５が形成され、底２６が先細りの円弧状に形成されて、底２６に図３（ｂ）のように開けた水抜き孔２７から水が抜け易くなるようにしてある。前記外キャップ２４は内キャップ２３の外側に被せることができる大きさの内径であり、上端に径の大きな鍔２８が形成され、底２９が平面に形成されて、床やテーブルの上に置いたときに安定するようにしてある。また、図３（ｃ）のように底２９の内面から上方に閉塞用突起３０が突設され、その閉塞用突起３０を前記内キャップ２４の水抜き孔２７に差し込んで、水抜き孔２７を閉塞できるようにしてある。
【００１５】
図３の植物栽培具１の栽培容器本体２、パイプ３のサイズは用途に合わせて任意の寸法にすることができるが、一例として、栽培容器本体２の開口部３の直径５ｃｍ、高さ６ｃｍ、パイプ直径２ｃｍ、長さ６ｃｍ程度にしてある。
【００１６】
本発明の植物栽培具１により植物を栽培するには、栽培容器本体２の中にロックウールやウレタン等の吸水材を入れ、そこに植物を植えて栽培する。この場合、栽培容器本体２の上から栽培液を供給したり、栽培容器本体２及びパイプ３の内部に入れた吸水材を連結された最下端のパイプ３の底から下方に突出させ、その突出部分を水耕栽培装置の栽培液に浸して栽培液を吸水材により吸水して、栽培容器内の植物に供給して植物を栽培する。
【００１７】
（他の実施形態）
本発明の植物栽培用具連結具の他の実施形態を説明する。実施形態１では支持片５が三つ又状であるが、支持片５は二又状とか、四つ又以上であっても良く、或いはそれらとは全く異なる円盤、星型、十字形といった各種形状とすることができる。その他にも例えば、図５（ａ）に示すような円弧状の細長板の両端部を支持片５とし、そこに通孔７を開けたもの、図５（ｂ）に示すように直線状の板材の両端部を支持片５とし、そこに通孔７を開けたもの、図５（ｃ）に示すように基材６を屈曲させて３つの下段支持片４０と一つの上段支持片４１とを形成し、それら支持片５に通孔７を開けたもの等とすることができる。いずれの場合も、通孔７に植物栽培具１のパイプ３を差し込んで立てたときに、安定性のある形状、構造とするのが望ましい。
【００１８】
前記実施形態１の通孔７は真円であるが、通孔７は必ずしも真円である必要はなく、パイプを差込可能な形状であればよく、例えば、楕円形、三角形、星型等とすることができる。また、図５（ｂ）のように外側が欠けた形状であってもよい。
【００１９】
本発明の連結栽培具に使用する植物栽培具用連結具１の枚数は、場合によっては一枚でも、三枚以上でもよく、パイプの長さに合わせて使用枚数を選択することができる。
【００２０】
図１の実施形態では補助パイプ８が１本使用されているが、補助パイプは２本以上使用してもよく、使用しなくともよい。補助パイプの連結本数、太さ等も任意に選択することができる。
【００２１】
【発明の効果】
本件出願の植物栽培具用連結具は次のような効果を有する。
（１）二以上の支持片が基材から異なる方向に突出し、夫々の支持片に植物栽培具の栽培容器本体から突出するパイプを差し込み可能な通孔を備えるので、二以上の植物栽培具を連結させて安定させて立たせることができる。また、植物を水耕栽培しながら同時に展示することもできる。
（２）基材又はいずれかの支持片に補助パイプを差し込み可能な補助孔が開口されているので、補助パイプを補助孔に差し込んで植物栽培具を連結させた場合、連結された各植物栽培具は、補助パイプによっても支持されるため、より安定性が高まり、床やテーブル等にも立てて置くことができる。
（３）植物栽培具用連結具の、二以上の支持片の高さが異なるので、様々な形状に植物栽培具を連結させることができ、栽培状況や展示状況に応じた、様々なバリエーションの栽培や展示が可能となる。
【００２２】
本件出願の植物栽培具用連結具で連結された連結栽培具は次のような効果を有する。
（１）二以上の支持片が基材から異なる方向に突出し、夫々の支持片に植物栽培具の栽培容器本体から突出するパイプを差し込み可能な通孔を備える連結具によって、二以上の植物栽培具を連結しているので、連結栽培具全体を安定させて植物の水耕栽培をすることができる。また、植物を水耕栽培しながら同時に展示することもできる。
（２）基材又はいずれかの支持片に補助パイプを差し込み可能な補助孔が開口されている連結具によって植物栽培具を連結しているので、補助パイプを補助孔に差し込んで植物栽培具を連結させた連結栽培具の場合、補助パイプによっても支持されるため、該連結栽培具はより安定性が高まり、床やテーブル等にも立てて置くことができる。
（３）用いる植物栽培具用連結具の、二以上の支持片の高さが異なるので、連結栽培具を様々な形状に構成することができ、栽培状況や展示状況に応じた、様々なバリエーションの栽培や展示が可能となる。
（４）従来の水耕栽培のような大掛かりな装置を必要とせずに水耕栽培を行うことができる。また、植物を水耕栽培しながら同時に展示することもできる。さらに、植物栽培具を差し換えるだけで、異なる植物を栽培したり、栽培しながら展示したりすることもできる。
（５）二以上の植物栽培具が縦方向一又は二箇所以上で連結されているので、各植物栽培具が、安定するとともに補強される。
【図面の簡単な説明】
【図１】本発明の植物栽培具用連結具の実施形態の一例を示す斜視図。
【図２】図１に示す植物栽培具用連結具によって連結された植物栽培用具の説明図。
【図３】（ａ）は、図１に示す植物栽培具の分解図。（ｂ）は、（ａ）に示す内キャップの断面図。（ｃ）は、（ａ）に示す外キャップの断面図。
【図４】図１に示す補助パイプの説明図。
【図５】（ａ）〜（ｃ）は、本発明の植物栽培具用連結具の他例を示す斜視図。
【符号の説明】
１  植物栽培具
２  栽培容器本体
３  パイプ
５  支持片
６  基材
７  通孔
８  補助パイプ
９  補助孔
２０  植物栽培具用連結具
【図１】
2004159545.tif 000003
【図２】
2004159545.tif 000004
【図３】
2004159545.tif 000005
【図４】
2004159545.tif 000006
【図５】
2004159545.tif 000007